(57)【要約】【課題】収納しやすく、安定感及び衛生面が優れたベッド用踏み台を提供する。【解決手段】１対のガイド５がベッド本体の下部に固定されており、踏み部１は１対の支柱３ａ、３ｂ上に踏み板２が掛け渡されている。また、支柱３ａ、３ｂには夫々支持部材４ａ、４ｂが固定されている。各支持部材４ａ、４ｂには踏み部寄りの第１のピン８と離れた方の第２のピン９とが設けられ、ガイド５には夫々第１及び第２のピンが係合する第１及び第２のガイド孔６，７が設けられている。第１及び第２のピン８，９は第１及び第２のガイド孔の横部分６ａ、７ａに沿って移動する。また、横部分６ａの踏み部側の位置から下方に延びる縦部分６ｂと、横部分７ａの踏み部から離れた側の位置から上方に延びる縦部分７ｂとが設けられ、横部分６ａ、７ａは、踏み部側が低く反対側が高くなるように傾斜している。【選択図】  図１
2005013623.tif 000002
【特許請求の範囲】
【請求項１】
ベッド本体の下部に固定されベッドの横方向に相互に平行に延びる１対のガイドと、１対の支柱及びこの支柱上に掛け渡された踏み板からなる踏み部と、前記各ガイドに対応して設けられ前記踏み部が固定されてこれを支持する１対の支持部材と、を有し、前記各支持部材には前記踏み部寄りの第１のピンと前記踏み部から離れた方の第２のピンとが設けられ、前記ガイドには夫々前記第１及び第２のピンが係合する第１及び第２のガイド孔が設けられており、前記第１及び第２のガイド孔は、夫々相互に平行に延びて前記第１及び第２のピンがこれに沿って移動することにより前記踏み部が前記ベッド本体から進出している状態と前記踏み部が前記ベッド本体内に格納されている状態との間を移動することができる横部分を有し、前記第１のガイド孔はその横部分の前記踏み部側の位置から下方に延びる縦部分を有し、前記第２のガイド孔はその横部分の前記踏み部から離れた側の位置から上方に延びる縦部分を有することを特徴とするベッド用踏み台。
【請求項２】
ベッド本体の下部に固定されベッドの横方向に相互に平行に延びる１対のガイドと、１対の支柱及びこの支柱上に掛け渡された踏み板からなる踏み部と、前記各ガイドに対応して設けられ前記踏み部が固定されてこれを支持する１対の支持部材と、を有し、前記各ガイドには前記踏み部寄りの第１のピンと前記踏み部から離れた方の第２のピンとが設けられ、前記支持部材には夫々前記第１及び第２のピンが係合する第１及び第２のガイド孔が設けられており、前記第１及び第２のガイド孔は、夫々相互に平行に延びて前記第１及び第２のピンがこれに沿って移動することにより前記踏み部が前記ベッド本体から進出している状態と前記踏み部が前記ベッド本体内に格納されている状態との間を移動することができる横部分を有し、前記第１のガイド孔はその横部分の前記踏み部側の位置から上方に延びる縦部分を有し、前記第２のガイド孔はその横部分の前記踏み部から離れた側の位置から下方に延びる縦部分を有することを特徴とするベッド用踏み台。
【請求項３】
前記第１及び第２のガイド孔の前記横部分は、前記踏み部側が低く反対側が高くなるように傾斜していることを特徴とする請求項１又は２に記載のベッド用踏み台。
【請求項４】
１対の支柱及びこの支柱上に掛け渡された踏み板からなる踏み部と、前記踏み部に固定されベッド本体の横方向に延びる相互に平行な１対のガイド棒と、前記ベッド本体の下部に固定され前記ガイド棒が挿通する１対の挿通部と、前記各支柱の下部に設けられストッパ付きのキャスタと、前記ガイド棒における前記踏み台の反対側の位置に設けられ前記ガイド棒が前記挿通部から抜け出ないように係止するガイドストッパと、を有することを特徴とするベッド用踏み台。
【発明の詳細な説明】
【０００１】
【発明の属する技術分野】
本発明は、病院のベッド又は介護用ベッド等に使用されるベッド用踏み台に関する。
【０００２】
【従来の技術】
病院のベッド又は介護用ベッドに寝ている患者を、医者又は看護師が処置したり、介護者が介護する場合（以下、医師、看護師、又は介護者を総称して看護者という）に、看護者の身長が低いときは、ベッド上の患者の全体に手が届かず、不自由をする。
【０００３】
そこで、看護者が患者を処置又は介護する場合に、ベッドの近くに、踏み台を置き、看護者がこの踏み台に載った上で、患者を処置又は介護する必要があることがある。しかし、単に、ベッドから独立した踏み台では、その置き場所に困ることがある。また、ベッドから独立した踏み台では、安定感が悪く、処置又は介護中に看護者が踏み外す虞があり、看護者が踏み台から落ちると、患者にとって重大な事故となる可能性がある。更に、踏み台を使用する場合に、踏み台をその収納場所から手で引き出して、ベッドの脇に設置し、その後、患者を処置したり、介護することになるが、このように、処置又は介護に先立って踏み台に手が触れることは、衛生上、問題がある。
【０００４】
なお、自動販売機の踏台備付装置として、脚と踏板をもつ踏み台が、踏板の後端部にガイドピンを設け、このガイドピンを本体ケースの下部の格納室に設けた左右１対のガイド板に形成した各１個のガイド溝に摺動案内させるようにすることにより、本体ケース１の下部の格納室に対し、進出待避移動できるようにしたものが提案されている（特許文献１：特開平６−２７４７５２号公報）
【特許文献１】
特開平６−２７４８５２号公報
【０００５】
【発明が解決しようとする課題】
しかしながら、この特許文献１にて提案された踏み台は、上述のようなベッド用踏み台に要求される機能を持つものではない。従って、病院又は自宅の介護用ベッドの側部におけるベッド用踏み板としての上述の要請があるにも拘わらず、収納場所に困らず、安定感があり、衛生上の優れたベッド用踏み台は、従来、提案されていない。
【０００６】
本発明はかかる問題点に鑑みてなされたものであって、ベッドの脇で使用することができると共に、収納場所が困らず、また安定感も優れており、更に、手で接触する必要がなく衛生面も優れており、看護者の負担を軽減することができるベッド用踏み台を提供することを目的とする。
【０００７】
【課題を解決するための手段】
本発明に係るベッド用踏み台は、ベッド本体の下部に固定されベッドの横方向に相互に平行に延びる１対のガイドと、１対の支柱及びこの支柱上に掛け渡された踏み板からなる踏み部と、前記各ガイドに対応して設けられ前記踏み部が固定されてこれを支持する１対の支持部材と、を有し、前記各支持部材には前記踏み部寄りの第１のピンと前記踏み部から離れた方の第２のピンとが設けられ、前記ガイドには夫々前記第１及び第２のピンが係合する第１及び第２のガイド孔が設けられており、前記第１及び第２のガイド孔は、夫々相互に平行に延びて前記第１及び第２のピンがこれに沿って移動することにより前記踏み部が前記ベッド本体から進出している状態と前記踏み部が前記ベッド本体内に格納されている状態との間を移動することができる横部分を有し、前記第１のガイド孔はその横部分の前記踏み部側の位置から下方に延びる縦部分を有し、前記第２のガイド孔はその横部分の前記踏み部から離れた側の位置から上方に延びる縦部分を有することを特徴とする。この場合に、前記第１及び第２のガイド孔の前記横部分は、前記踏み部側が低く反対側が高くなるように傾斜させることができる。
【０００８】
本発明に係る他のベッド用踏み台は、ベッド本体の下部に固定されベッドの横方向に相互に平行に延びる１対のガイドと、１対の支柱及びこの支柱上に掛け渡された踏み板からなる踏み部と、前記各ガイドに対応して設けられ前記踏み部が固定されてこれを支持する１対の支持部材と、を有し、前記各ガイドには前記踏み部寄りの第１のピンと前記踏み部から離れた方の第２のピンとが設けられ、前記支持部材には夫々前記第１及び第２のピンが係合する第１及び第２のガイド孔が設けられており、前記第１及び第２のガイド孔は、夫々相互に平行に延びて前記第１及び第２のピンがこれに沿って移動することにより前記踏み部が前記ベッド本体から進出している状態と前記踏み部が前記ベッド本体内に格納されている状態との間を移動することができる横部分を有し、前記第１のガイド孔はその横部分の前記踏み部側の位置から上方に延びる縦部分を有し、前記第２のガイド孔はその横部分の前記踏み部から離れた側の位置から下方に延びる縦部分を有することを特徴とする。この場合に、前記第１及び第２のガイド孔の前記横部分は、前記踏み部側が低く反対側が高くなるように傾斜してい。
【０００９】
また、本発明に係る更に他のベッド用踏み台は、１対の支柱及びこの支柱上に掛け渡された踏み板からなる踏み部と、前記踏み部に固定されベッド本体の横方向に延びる相互に平行な１対のガイド棒と、前記ベッド本体の下部に固定され前記ガイド棒が挿通する１対の挿通部と、前記各支柱の下部に設けられストッパ付きのキャスタと、前記ガイド棒における前記踏み台の反対側の位置に設けられ前記ガイド棒が前記挿通部から抜け出ないように係止するガイドストッパと、を有することを特徴とする。
【００１０】
【発明の実施の形態】
以下、本発明の実施の形態に係るベッド用踏み台について、添付の図面を参照して具体的に説明する。図１は本発明の第１実施形態に係るベッド用踏み台を示す斜視図、図２及び図３はベッドのフレーム（ベッド本体）に取り付けられた踏み台を示す斜視図、図４乃至図７は本実施形態のベッド用踏み台の動作を示す図である。
【００１１】
ベッド用踏み台の踏み部１は、１対の支柱３（３ａ、３ｂ）上に掛け渡された踏み板２を有し、踏み板２が水平状態にあるときに、支柱３ａ、３ｂが垂直に床上に立設されるようになっている。この支柱３ａ、３ｂの側部には、夫々踏み板２の長手方向に垂直に、且つ支柱３ａ、３ｂに垂直に、支持部材４（４ａ、４ｂ）が固定されている。
【００１２】
そして、ベッド本体の下部の側部フレーム１０には、ガイド５（５ａ、５ｂ）が、夫々支持部材４ａ、４ｂに対応して固定されている。このガイド５ａ、５ｂは、フレーム１０に垂直に、即ちベッドの横（幅）方向に延びるものであり、夫々支持部材４ａ、４ｂの外側の面に接するような位置に配置されている。
【００１３】
各支持部材４ａ、４ｂには、その外側の面に、１対のピン８，９が設けられており、各ガイド５ａ、５ｂには、夫々ピン８，９が挿通するガイド孔６，７が形成されている。ピン８，９は夫々ガイド孔６，７内に係合し、ガイド孔６，７に沿って移動する。ガイド孔６，７は、図４乃至７に示すように、ほぼ水平方向ではあるが、若干踏み部１側が低く、踏み部１の反対側が高くなるように傾斜しており、相互に平行に延びる横部分６ａ、７ａを有する。ピン８，９がこのガイド孔６，７の横部分６ａ、７ａに沿って移動することにより、踏み部１がベッドの下部の待避位置とベッドからその横方向に進出する進出位置との間を移動することができる。ガイド孔６は更にその横部分６ａにおける踏み台１側の端部から下方に延びる縦部分６ｂを有する。一方、ガイド孔７は更にその横部分７ａにおける踏み台１の反対側の端部から上方に延びる縦部分７ｂを有する。
【００１４】
次に、上述の如く構成された本実施形態のベッド用踏み台の動作について説明する。なお、以下の説明において、ガイド５及び支持部材４は、ベッドの長手方向に離隔して１対平行に配置されているが、その動作態様は全く同一であるので、図４乃至７を参照して、一方のガイド５及び支持部材４の動作について説明し、他方は省略する。図４は踏み台の踏み部１がベッドからその側方に進出して、踏み台の使用位置にある場合、図７は踏み台の踏み部１がベッドの下部に待避し、ベッド下に格納されている場合を示し、図５及び図６はその途中の状態を示す。図４に示すように、踏み部１がベッド下部から引き出されている状態においては、踏み部１側のピン８は第１のガイド孔６の縦部分６ｂの下端に位置し、踏み部１の反対側のピン９は第２のガイド孔７の横部分７ａの踏み部１側の端部に位置する。このとき、支持部材４は水平であり、支柱３は垂直で床に接触しており、更に、支柱３上の踏み板２は水平である。この状態で、踏み板２は支柱３により床上に支持され、更に、支柱３の側部が支持部材４を介してガイド５により倒れないように支持されているので、踏み部１は、床上に安定して載置されており、看護者がこの踏み板２の上にのって、ベッド上の患者を看護することができる。
【００１５】
踏み台の使用が終了すると、看護者は、図５に示すように、踏み部１を足で持ち上げ、図６に示すように、踏み部１を持ち上げた状態で、踏み部１を足で奥に押し込む。図５に示すように、踏み部１を足で持ち上げると、踏み部１はピン９を中心として若干回動し、ピン８は第１のガイド孔６の縦部分６ｂの上端に移動する。この状態で、踏み部１を足で押し込むと、ピン８及びピン９は第１及び第２のガイド孔６，７のいずれも横部分６ａ、７ａをその長手方向に沿って移動することができ、従って、踏み部１がベッド下に押し込まれる。この踏み部１の移動に際しては、踏み部１は若干持ち上げられているので、床に接触することはない。
【００１６】
その後、図７に示すように、踏み部１を降ろす。そうすると、踏み部１はピン８を中心として若干回動し、ピン９は第２のガイド孔７の横部分７ａの奥側の端部で縦部分７ｂに沿って上方に移動する。これにより、ピン８は第１のガイド孔６の横部分の最も奥側の端部に位置し、ピン９は第２のガイド孔７の縦部分７ｂの上端に位置する。第１及び第２のガイド孔６，７の横部分６ａ、７ａは相互に平行に且つ踏み部１側が低くなるように若干傾斜しているので、図７に示す待避位置では、図４に示す進出位置よりも、踏み部１は若干上方に位置する。即ち、踏み部１と床との間には、隙間１１が存在する。従って、ベッドを搬送する際には、踏み部１をベッド下に格納することにより、踏み部１は床から離れて床との間に隙間が生じるので、ベッドの搬送に際し、踏み台が邪魔になることはない。なお、ベッド下から踏み部１を引き出す場合には、上述の動作の逆を実施すれば良い。即ち、図７の状態から、図６に示すように、踏み部１を足で持ち上げ、図５に示すように踏み部１を足で引き出せば、図４に示すように、踏み部１が床上に落下して、使用可能な状態になる。
【００１７】
上述の如く、本実施形態においては、踏み部１をベッド本体に倒れないように支持させているので、安定しており、踏み板２上に看護者がのって患者を看護しても、看護者が踏み板２を踏み外したり、踏み板２から落下したりすることがない。また、踏み部１の出し入れは、足で踏み部１を持ち上げたり、押し込んだりするだけで足り、手を使用する必要がないので、衛生上問題がない。更に、本実施形態の踏み台は、構造自体は簡素であり、ベッドの脇で使用してもそれが邪魔になることはない。このように、本実施形態の踏み台は実用性が高く、看護者の負担を軽減することができる。
【００１８】
次に、この第１実施形態の変形例について説明する。上記第１実施形態においては、ベッドのフレーム１０に固定されたガイド５に、ガイド孔６，７を設け、踏み部１に固定された支持部材４にピン８，９を設けたが、これを逆にしたものが変形例である。この変形例は請求項２に対応するものであり、ガイド孔を踏み部に固定された支持部材に形成し、ピンをベッド本体に固定されたガイドに設けたものである。即ち、ガイド孔６，７が形成された支持部材を踏み部１に固定し、ピン８，９が設けられたガイドをベッド本体のフレーム１０に固定する。この場合は、請求項２に記載のように、支持部材の第１のピン（踏み部寄り）が係合する第１のガイド孔においては、縦部分が横部分における前記踏み部側の位置から上方に延び、第２のピン（踏み部から離れた方）が係合する第２のガイド孔においては、縦部分が横部分における前記踏み部から離れた側の位置から下方に延びるように、これらの第１及び第２のガイド孔を形成する。本変形例においても、第１実施形態と同様の作用効果を奏する。
【００１９】
なお、上記実施例においては、ガイド孔の横部分は踏み部側が低く、踏み部から離れた側が高くなるように傾斜しているが、この横部分は水平でも、ベッド下の格納状態で、床から若干上方に浮き上がる。
【００２０】
また、本発明において、ガイド孔とは、ガイド又は支持部材の表面から裏面に抜けるものに限らず、溝のように、ガイド又は支持部材の一方の面に断面凹部として形成されるものであってもよい。更に、支持部材４は支柱３に固定する場合に限らず、踏み板２に固定してもよい。また、踏み板は、文字どおりの板に限らず、人がのることができるような例えば複数本の平行棒を並べたようなものでもよい。更に、ピンは、文字どおりのピンに限らず、段付きボルトのような突起となるものでもよい。
【００２１】
次に、図８の平面図及び図９の正面を参照して本発明の第２実施形態のベッド用踏み台について説明する。踏み部２１は、その踏み板２２が１対の支柱２３ａ、２３ｂ上に掛け渡されて支持されている。支柱２３ａ、２３ｂの下端にはキャスタ２４ａ、２４ｂが取り付けられており、このキャスタ２４ａ、２４ｂには夫々その回転を止めるストッパ２５ａ、２５ｂが設けられている。踏み板２２の下面には、水平方向に延びる１対の相互に平行なガイド棒２６ａ、２６ｂが固定されている。
【００２２】
一方、ベッド本体のフレーム３０には、各ガイド棒２６ａ、２６ｂに相当する位置に、挿通部３１ａ、３１ｂが設けられており、この挿通部３１ａ、３１ｂに夫々ガイド棒２６ａ、２６ｂが挿通するようになっている。そして、この挿通部３１ａ、３１ｂに挿通されたガイド棒２６ａ、２６ｂの先端（踏み部２１の反対側の端部）には、ガイドストッパ２７ａ、２７ｂが固定されており、ガイド棒２６ａ、２６ｂが挿通部３１ａ、３１ｂから抜け出ないようになっている。
【００２３】
次に、上述の如く構成された第２実施形態のベッド用踏み台の動作について説明する。踏み台が必要になった場合は、足で、踏み板２２を手前に引くと、踏み板２２はキャスタ２４ａ、２４ｂにより滑らかに引き出されてくる。そして、キャスタ２４ａ、２４ｂのストッパ２５ａ、２５ｂを足で押し込んでキャスタ２４ａ、２４ｂを固定する。この踏み板２２の引き出しに際し、ガイドストッパ２７ａ、２７ｂがあるので、ガイド棒２６ａ、２６ｂが挿通部３１ａ、３１ｂから抜け出ることはない。この状態で、踏み部２１を使用して、看護し、踏み部２１をベッド下に格納する場合は、キャスタ２４ａ、２４ｂのストッパ２５ａ、２５ｂを足で解除状態にし、足で踏み板２２を押し込むことにより、踏み部２１をベッド下に格納することができる。
【００２４】
ベッドを移送する場合は、踏み部２１にもキャスタ２４ａ、２４ｂが設けられているので、ベッドの搬送に際し、障害となることはない。また、本実施形態においても、踏み台を手で操作する必要がないので、衛生上、問題がない。本実施形態においても、第１実施形態と同様の効果を奏する。
【００２５】
【発明の効果】
以上説明したように、本発明によれば、構造が簡素でベッドの脇で使用しても邪魔になることがなく、ベッド下に格納することができるので、収納場所に困ることもなく、安定感が優れており、転倒事故も防止でき、衛生上問題となることもないという優れた効果を奏する。
【図面の簡単な説明】
【図１】本発明の第１実施形態に係るベッド用踏み台を示す斜視図である。
【図２】同じくその踏み台の進出状態を示す斜視図である。
【図３】同じくその踏み台の待避状態（格納状態）を示す斜視図である。
【図４】同じくその動作を説明する図である。
【図５】同じくその動作を説明する図である。
【図６】同じくその動作を説明する図である。
【図７】同じくその動作を説明する図である。
【図８】本発明の第２実施形態に係るベッド用踏み台を示す平面図である。
【図９】同じくその正面図である。
【符号の説明】
１、２１：踏み部
２、２２：踏み板
３、３ａ、３ｂ、２３ａ、２３ｂ：支柱
４，４ａ、４ｂ：支持部材
５，５ａ、５ｂ：ガイド
６：第１ガイド孔
７：第２ガイド孔
６ａ、７ａ：横部分
６ｂ、７ｂ：縦部分
８，９：ピン
１０、３０：フレーム
２４ａ、２４ｂ：キャスタ
２５ａ、２５ｂ：ストッパ
２６ａ、２６ｂ：ガイド棒
２７ａ、２７ｂ：ガイドストッパ
３１ａ、３１ｂ：挿通部
【図１】
2005013623.tif 000003
【図２】
2005013623.tif 000004
【図３】
2005013623.tif 000005
【図４】
2005013623.tif 000006
【図５】
2005013623.tif 000007
【図６】
2005013623.tif 000008
【図７】
2005013623.tif 000009
【図８】
2005013623.tif 000010
【図９】
2005013623.tif 000011